【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
医療信号をモニターするためのセンサーアレイ装置であって：
皮膚表面の局所解剖学にほぼ一致するように適合される可撓性基板であって、中央焦点の周りに整列された中央部分、および該中央部分から半径方向の外方に延びる複数の指状突出部を含む可撓性基板；
該可撓性基板の該中央部分上に配置された少なくとも１つの参照電極；
該指状突出部の少なくとも１つの上に配置された医療用電極；および
該医療用電極と電気的に連通し、そして電気システムに接続されるように適合されるコネクターを備え、
少なくとも２つの参照アパーチャが、患者組織のいずれかの側から該コネクターが該電気システムとインターフェースすることを許容する、センサーアレイ装置。
【請求項２】
前記指状突出部の各々が、その上に配置された少なくとも１つの医療用電極を含む、請求項１に記載のセンサーアレイ装置。
【請求項３】
前記参照電極が、前記中央部分の前記中央焦点に対してほぼ整列される、請求項１に記載のセンサーアレイ装置。
【請求項４】
前記指状突出部上に配置された前記医療用電極が、前記可撓性基板が前記皮膚表面に沿って付与されるとき、前記参照電極に対して所定の距離にあり、該電極の少なくともいくつかに対する該所定の距離が実質的に同じである、請求項２に記載のセンサーアレイ装置。
【請求項５】
前記可撓性基板が、対称の軸の周りにほぼ対称に整列され、該対称の軸の一方の側にある指状突出部が該対称の軸の反対側にある対応する指状突出部を有する、請求項１に記載のセンサーアレイ装置。
【請求項６】
前記可撓性基板が、対称の軸の周りにほぼ対称に整列され、該対称の軸の一方の側にある指状突出部が該対称の軸の反対側にある指状突出部を有する、請求項２に記載のセンサーアレイ装置。
【請求項７】
前記対称の軸の各々の側にある対応する指状突出部上に配置された前記電極が、前記可撓性基板が前記皮膚表面に沿って付与されるとき、前記参照電極に対して実質的に等しい距離で間隔を置かれる、請求項６に記載のセンサーアレイ装置。
【請求項８】
前記可撓性基板が延長の性質を含む、請求項１に記載のセンサーアレイ装置。
【請求項９】
前記可撓性基板が、誘電性である、請求項１に記載のセンサーアレイ装置。
【請求項１０】
前記可撓性基板が、二軸延伸ポリエチレンテレフタレートポリエステルフィルム、ポリオレフィンシリカブレンド、天然の織られたファイバ、合成不織材料および紙からなる群から選択される、請求項１に記載のセンサーアレイ装置。
【請求項１１】
前記可撓性基板が、身体構造物に適応するための少なくとも１つの参照アパーチャを規定する、請求項１に記載のセンサーアレイ装置。
【請求項１２】
前記少なくとも１つの参照アパーチャが、へそ組織を少なくとも部分的に被包するよう適合される、請求項１１に記載のセンサーアレイ装置。
【請求項１３】
前記可撓性基板が、２つの参照アパーチャを規定する、請求項１１に記載のセンサーアレイ装置。
【請求項１４】
前記可撓性基板の配向が、患者組織のいずれかの側から前記電気コネクターへの接近を提供するように回転され得、そして前記２つの参照アパーチャの１つがへそ組織を部分的に被包する、請求項１３に記載のセンサーアレイ装置。
【請求項１５】
前記可撓性基板の前記中央部分上に配置された少なくとも１つの参照電極；および
患者組織のいずれかの側から前記コネクターが前記電気システムとインターフェースすることを許容するように適合される２つのアパーチャを含む、請求項１１に記載のセンサーアレイ装置。
【請求項１６】
前記医療用電極のうちの少なくとも１つが前記可撓性基板上に配置され、ここで、該可撓性基板上に配置された伝導性トレースが、該少なくとも１つの医療用電極を前記コネクターに接続する、請求項１に記載のセンサーアレイ装置。
【請求項１７】
前記伝導性トレースが、前記可撓性基板上に、シルクスクリーンプリンティングプロセス、写真製版プロセス、化学的エッチングプロセス、レーザーエッチングプロセスまたはマスキングプロセスによって配置される、請求項１６に記載のセンサーアレイ装置。
【請求項１８】
前記伝導性トレースが誘電性材料によって覆われ、そして前記医療用電極が伝導性ゲルによって覆われる、請求項１７に記載のセンサーアレイ装置。
【請求項１９】
前記医療用電極が：
前記中央部分に隣接する参照電極；
前記指状突出部の各々の上で単極配列にある少なくとも１つの単極医療用電極；を含み、それによって、生体電気情報が、該単極電極の少なくとも１つと該参照電極との間でモニターされる、請求項１に記載のセンサーアレイ装置。
【請求項２０】
医療信号をモニターするためのセンサーアレイ装置であって：
中央焦点を規定する可撓性基板；
該可撓性基板上に配置される少なくとも１つの参照電極であって、身体組織を部分的に被包するための少なくとも１つの参照アパーチャを規定する、少なくとも１つの参照電極；
該可撓性基板の周縁上に配置される複数の医療用電極；および
該医療用電極と電気的に連通し、そして電気システムに接続されるように適合される少なくとも１つのコネクターを備える、センサーアレイ装置。
【請求項２１】
前記可撓性基板が、円、三角形、方形、矩形、多角形、または卵形からなる群から選択される形状をほぼ規定する、請求項２０に記載のセンサーアレイ装置。
【請求項２２】
前記電極が、前記中央焦点に対して実質的に等しい所定の半径方向距離で配置される、請求項２０に記載のセンサーアレイ装置。
【請求項２３】
前記電極が、対称の軸の周りで前記可撓性基板上にほぼ対称に整列され、該対称の軸の一方の側にある医療用電極が該対称の軸の反対側にある対応する医療用電極を有する、請求項２０に記載のセンサーアレイ装置。
【請求項２４】
参照電極をさらに含む、請求項２０に記載のセンサーアレイ装置。
【請求項２５】
前記参照電極が、身体構造を部分的に被包するための少なくとも１つの参照アパーチャを規定する、請求項２４に記載のセンサーアレイ装置。
【請求項２６】
前記参照電極が、前記可撓性基板の内側の周の周りに延びる、請求項２４に記載のセンサーアレイ装置。
【請求項２７】
前記複数の医療用電極が、前記参照電極に対して実質的に等しい距離で各々間隔を置かれる、請求項２６に記載のセンサーアレイ装置。
【請求項２８】
前記中央焦点をともなう第２の可撓性基板；および該第２の可撓性基板上に配置された参照電極をさらに含み、生体電気情報が、前記医療用電極の少なくとも１つと該参照電極との間でモニターされる、請求項２０に記載のセンサーアレイ装置。
【請求項２９】
前記中央焦点をともなう第２の可撓性基板および該中央焦点の周縁をともなう前記可撓性基板が、機械的連通している、請求項２８に記載のセンサーアレイ装置。
【請求項３０】
前記第２の可撓性基板が、へそ組織を少なくとも部分的に被包するよう適合される少なくとも１つの参照アパーチャを規定する、請求項２４に記載のセンサーアレイ装置。
【請求項３１】
前記参照電極が前記参照アパーチャの内側の周の周りに延び、そして前記医療用電極の各々が該参照電極に対して皮膚に沿って所定の距離にあり、各電極に対する該所定の距離が実質的に同一である、請求項３０に記載のセンサーアレイ装置。
【請求項３２】
医療信号をモニターするためのセンサーアレイ装置であって、
中央焦点を規定する第１の可撓性基板；
該第１の可撓性基板の周縁上に配置される複数の医療用電極；
該中央焦点をともなう第２の可撓性基板；
該医療用電極および該参照電極と電気的に連通する少なくとも１つのコネクターであって、電気システムに接続されるように適合されている、少なくとも１つのコネクター、
を備え、
生体電気情報が、該医療用電極のうちの少なくとも１つと該参照電極との間でモニターされる、センサーアレイ装置。
【請求項３３】
前記第１の可撓性基板が、円、三角形、方形、矩形、多角形、または卵形からなる群から選択される形状をほぼ規定する、請求項３２に記載のセンサーアレイ装置。
【請求項３４】
前記電極が、前記中央焦点に対して実質的に等しい所定の半径方向距離で配置される、請求項３２に記載のセンサーアレイ装置。
【請求項３５】
前記電極が、対称の軸の周りで前記第１の可撓性基板上にほぼ対称に整列され、該対称の軸の一方の側にある医療用電極が該対称の軸の反対側にある対応する医療用電極を有する、請求項３２に記載のセンサーアレイ装置。
【請求項３６】
前記参照電極が、前記第２の可撓性基板に形成された少なくとも１つの参照アパーチャを規定し、該少なくとも１つの参照アパーチャが、身体組織を部分的に被包するための寸法にされている、請求項３２に記載のセンサーアレイ装置。
【請求項３７】
前記参照電極が、前記少なくとも１つの参照アパーチャの内側の周の周りに延びる、請求項３６に記載のセンサーアレイ装置。
【請求項３８】
前記複数の医療用電極が、前記参照電極に対して実質的に等しい距離で各々間隔を置かれる、請求項３７に記載のセンサーアレイ装置。
【請求項３９】
前記第１の可撓性基板および前記第２の可撓性基板が、機械的連通している、請求項３２に記載のセンサーアレイ装置。
【請求項４０】
前記第１の可撓性基板および前記第２の可撓性基板が、互いに対して実質的に固定された関係にある、請求項３９に記載のセンサーアレイ装置。
【請求項４１】
前記参照電極が前記参照アパーチャの内側の周の周りに延び、そして前記医療用電極の各々が該参照電極に対して皮膚に沿って所定の距離にあり、各電極に対する該所定の距離が実質的に同一である、請求項４０に記載のセンサーアレイ装置。
【請求項４２】
前記複数の医療用電極のうちの少なくとも１つが、
単極配列にある少なくとも１つの単極医療用電極であって、生体電気情報が、該単極電極のうちの少なくとも１つと前記参照電極との間でモニターされる、
をさらに備える、請求項３２に記載のセンサーアレイ装置。